(57)【特許請求の範囲】
【請求項１】
光学系を通して得られる画像を捕捉する撮像部とともに、前記光学系を自動焦点位置又
は固定焦点位置に移動させるフォーカス機構を備える電子装置であって、
前記フォーカス機構に合焦を指示するフォーカススイッチとして機能するとともに、前
記撮像部の捕捉画像の取込みを指示するシャッタースイッチとして機能し、操作により合
焦を指示し又は捕捉画像の取込みを指示するスイッチと、
このスイッチの操作を検出すると、合焦指示か前記捕捉画像の取込み指示かを判定し、
合焦指示である場合に前記フォーカス機構の合焦を開始させ、前記フォーカス機構の合焦
中に前記スイッチのシャッター操作が行われた場合には、前記フォーカス機構の合焦に要
する時間と合焦開始から前記シャッター操作の開始までの時間とを比較し、前記合焦開始
から前記シャッター操作の開始までの時間が前記フォーカス機構の合焦に要する時間より
短い場合に前記光学系を合焦中の前記自動焦点位置から前記固定焦点位置に切り換え、固
定焦点画像を取り込む制御部と、
を備えたことを特徴とする電子装置。
【請求項２】
光学系を通して得られる画像を捕捉する撮像部とともに、前記光学系を自動焦点位置又
は固定焦点位置に移動させるフォーカス機構を備える電子装置であって、
前記フォーカス機構に合焦を指示するフォーカススイッチとして機能するとともに、前
記撮像部の捕捉画像の取込みを指示するシャッタースイッチとして機能し、操作により合
焦を指示し又は捕捉画像の取込みを指示するスイッチと、
このスイッチの操作を検出すると、合焦指示か前記捕捉画像の取込み指示かを判定し、
合焦指示である場合に前記フォーカス機構の合焦を開始させ、前記フォーカス機構の合焦
中に前記スイッチのシャッター操作が行われた場合には、前記撮像部に捕捉されている合
焦途中の焦点位置の画像を確定させ、この画像を合焦途中の画像であることを示す情報と
ともに取り込む制御部と、
を備えたことを特徴とする電子装置。
【請求項３】
前記スイッチを第１のスイッチとして備えるとともに、この第１のスイッチとは別個に
設置されて固定焦点による撮影に用いられるスイッチを第２のスイッチとして備えること
を特徴とする請求項１又は２記載の電子装置。
【請求項４】
前記スイッチは、半押し状態で前記フォーカススイッチ、全押し状態で前記シャッター
スイッチとして機能する構成としたことを特徴とする請求項１又は２記載の電子装置。
【請求項５】
前記撮像部を備える第１の筐体部と、
前記スイッチを備える第２の筐体部と、
この第２の筐体部と前記第１の筐体部とを折畳み可能に連結する連結部と、
を備える構成としたことを特徴とする請求項１又は２記載の電子装置。
【請求項６】
光学系を通して得られる画像を捕捉する撮像部とともに、前記光学系を自動焦点位置又
は固定焦点位置に移動させるフォーカス機構を備える電子装置の撮影制御方法であって、
合焦指示か前記撮像部の捕捉画像の取込み指示かの判定により合焦指示と判定された場
合に開始される前記フォーカス機構の合焦の最中にシャッター操作を検出する処理と、
前記シャッター操作を検出し、前記フォーカス機構の合焦に要する時間と合焦開始から
前記シャッター操作の開始までの時間とを比較し、前記合焦開始から前記シャッター操作
の開始までの時間が前記フォーカス機構の合焦に要する時間より短い場合に合焦中の前記
光学系の前記自動焦点位置から前記固定焦点位置に切り換える処理と、
前記固定焦点で捕捉される固定焦点画像を取り込む処理と、
を含むことを特徴とする電子装置の撮影制御方法。
【請求項７】
前記撮像部に捕捉される前記合焦中の画像に被写体と光学系との距離を表すフォーカス
マークを重ねて表示する処理を含むことを特徴とする請求項６記載の電子装置の撮影制御
方法。
【請求項８】
光学系を通して得られる画像を捕捉する撮像部とともに、前記光学系を自動焦点位置又
は固定焦点位置に移動させるフォーカス機構を備える電子装置の撮影制御プログラムであ
って、
合焦指示か前記撮像部の捕捉画像の取込み指示かの判定により合焦指示と判定された場
合に開始される前記フォーカス機構の合焦の最中にシャッター操作を検出するステップと
、
前記シャッター操作を検出し、前記フォーカス機構の合焦に要する時間と合焦開始から
前記シャッター操作の開始までの時間とを比較し、前記合焦開始から前記シャッター操作
の開始までの時間が前記フォーカス機構の合焦に要する時間より短い場合に合焦中の前記
光学系の前記自動焦点位置から前記固定焦点位置に切り換えるステップと、
前記固定焦点で捕捉される固定焦点画像を取り込むステップと、
を含むことを特徴とする電子装置の撮影制御プログラム。
【請求項９】
光学系を通して得られる画像を捕捉する撮像部と、前記光学系を自動焦点位置又は固定
焦点位置に移動させるフォーカス機構とが外付けされる集積回路であって、
合焦指示か前記撮像部の捕捉画像の取込み指示かの判定により合焦指示と判定された場
合に開始される前記フォーカス機構の合焦の最中にシャッター操作を検出する検出部と、
この検出部の検出に基づき、前記フォーカス機構の合焦に要する時間と合焦開始から前
記シャッター操作の開始までの時間とを比較し、前記合焦開始から前記シャッター操作の
開始までの時間が前記フォーカス機構の合焦に要する時間より短い場合に合焦中の前記光
学系の前記自動焦点位置から前記固定焦点位置に切り換え、前記固定焦点で捕捉される固
定焦点画像を取り込む制御部と、
を含むことを特徴とする集積回路。
【発明の詳細な説明】
【技術分野】
【０００１】
本発明は、自動焦点（ＡＦ：Autofocus ）、及び焦点を無限遠等に固定する固定焦点（ＰＦ：Pan Focus ）の撮影が可能な電子装置に関し、撮影状況に応じて自動焦点画像又は固定焦点画像の取込みの選択を自動化した電子装置、撮影制御方法、撮影制御プログラム及び集積回路に関する。
【背景技術】
【０００２】
撮影機能、電話機能及び情報処理機能を備える電子装置では、例えば、携帯電話機やカメラを個別に携行する必要がない程度を遙に超え、撮影、電話又は情報処理を選択的に行えるだけでなく、撮影画像を所望の形態に加工、編集したり、それを送受できる等、各機能の相乗的な活用が可能である。例えば、撮影機能を持つ携帯端末では撮影チャンスが飛躍的に増加し、撮影シーンに対応するフォーカス機能が要求されている。このフォーカス機能としてＡＦ機能やＰＦ機能が用いられ、その選択によって撮影の容易化が図られている。
【０００３】
ところで、ＡＦ機能やＰＦ機能を備えたカメラに関する先行特許文献には、次のようなものが散見される。
【特許文献１】特開平７−５６２２７号公報
【特許文献２】特開平１０−１８６４４２号公報
【特許文献３】特開平８−１１４７４０号公報
【特許文献４】特開平１０−１９７９３８号公報
【発明の開示】
【発明が解決しようとする課題】
【０００４】
特許文献１には、既存の液晶パネルやボタン等を使用してＡＦモード、遠景モード及び固定焦点モード等のモード切換えと、そのモード表示を可能にするという課題に対し、１つのモード選択スイッチをワンプッシュする毎にＡＦモード、遠景モード及び固定焦点モード等の各モードを順次切り換える構成が開示されている。
【０００５】
特許文献２には、ＡＦカメラに固定焦点モードを備え、カメラ操作に不慣れな人や、ＡＦモードでは合焦し難い被写体に対して適正な合焦で撮影を可能にすることを課題とし、自動焦点調節モードと固定焦点モードとの切換えを可能にした構成が開示されている。
【０００６】
特許文献３には、ＡＦモードと遠景モード（ＰＦモード）との切換えインタフェースに優れたＡＦカメラの提供を課題とし、モード設定部にＡＦモードとＰＦモードの何れかを設定し、モード設定部に設定されているモードから他のモードにモードスイッチによって切換え可能にした構成が開示されている。
【０００７】
また、特許文献４には、合焦する距離範囲を正確に把握でき、撮影者の勘等に頼ることなく、目測による不正確な距離範囲でも撮影者に安心感を与えて撮影を可能にするという課題に対し、合焦範囲に幅を持たせる構成が開示されている。
【０００８】
ところで、特許文献１〜３では、撮影シーンに応じてＡＦ機能又はＰＦ機能をスイッチで切り換えることが可能であるが、このようなモード選択のためのスイッチ操作は面倒であり、撮影チャンスを逃す原因にもなる。また、ＡＦ機能が迅速化されても、合焦に要する時間は瞬時に変化する撮影チャンスに比較すれば長く、また、撮影チャンスの到来を予測してＰＦ機能を優先させれば、撮影者が撮影シーンに応じてＰＦ機能からＡＦ機能に注意深く切り換えることが必要となる。撮影の度にこのような操作を撮影者に促すことが必要となり、切換え操作を忘れると、折角のＡＦ機能が損なわれることになる。
【０００９】
また、特許文献４では、ファインダー内に被写体とは別に合焦範囲を表示しているが、このような表示がファインダー内を占めると、被写体の表示範囲が狭められ、また、別個に表示されている合焦範囲と被写体の切取り範囲とを確認することが必要となるが、このような確認は撮影者に疲労感を与えることになる。
【００１０】
そして、このような課題については、特許文献１〜４に開示された技術では解決することができない。
【００１１】
そこで、本発明の目的は、ＡＦ（自動焦点）機能及びＰＦ（固定焦点）機能による撮像が可能な電子装置に関し、ＡＦ機能とシャッター操作との関係から取込み画像の自動選択を可能にし、画像取込みの迅速化を図るものである。
【課題を解決するための手段】
【００１２】
上記目的を達成するため、本発明の電子装置は、光学系（レンズ２６）を通して得られ
る画像を捕捉する撮像部（ＣＣＤ２８）とともに、前記光学系を自動焦点位置又は固定焦
点位置に移動させるフォーカス機構３２を備える電子装置（携帯端末２又は／及びカメラ
４）であって、前記フォーカス機構に合焦を指示するフォーカススイッチとして機能する
とともに、前記撮像部の捕捉画像の取込みを指示するシャッタースイッチとして機能し、
操作により合焦を指示し又は捕捉画像の取込みを指示するスイッチ（入力操作部２４、サ
イドキー２０４）と、このスイッチの操作を検出すると、合焦指示か前記捕捉画像の取込
み指示かを判定し、合焦指示である場合に前記フォーカス機構の合焦を開始させ、前記フ
ォーカス機構の合焦中に前記スイッチのシャッター操作が行われた場合には、前記フォー
カス機構の合焦に要する時間と合焦開始から前記シャッター操作の開始までの時間とを比
較し、前記合焦開始から前記シャッター操作の開始までの時間が前記フォーカス機構の合
焦に要する時間より短い場合に前記光学系を合焦中の前記自動焦点位置から前記固定焦点
位置に切り換え、固定焦点画像を取り込む制御部（撮影制御部６）とを備える構成である
。
【００１３】
斯かる構成とすれば、撮像部には光学系を通して被写体の画像が結像し、その画像が捕
捉される。フォーカス機構は、光学系の焦点位置を移動させることにより、撮像部に合焦
状態にある画像を結像させることができる。スイッチは、フォーカス機構に合焦を指示す
るフォーカススイッチとしての機能と、撮像部の捕捉画像の取込みを指示するシャッター
スイッチとしての機能とを備えており、操作により合焦を指示し又は捕捉画像の取込みを
指示する。そこで、制御部では、スイッチの操作を受けて合焦指示か捕捉画像の取込み指
示かを判定し、合焦指示である場合にはフォーカス機構に合焦処理を実行させるが、その
合焦途中でシャッタースイッチ機能で捕捉画像の取込み指示が生じた場合には、フォーカ
ス機構の合焦処理に要する時間と合焦開始からシャッタースイッチでの捕捉画像の取込み
指示までの時間とを比較し、合焦開始からシャッタースイッチでの捕捉画像の取込み指示
までの時間がフォーカス機構の合焦に要する時間より短い場合にフォーカス機構を通して
光学系を自動焦点位置から固定焦点位置に切り換え、その固定焦点位置での画像が取り込
まれる。このように合焦中にシャッター操作をすれば、フォーカス機構の合焦に要する時
間の経過を待つことなく、シャッター処理に即応した迅速な画像取込みが行え、合焦に要
する時間を待っていたのではシャッターチャンスを逃すような撮影シーンでの火急なシャ
ッター処理が可能となり、撮影シーン又は撮影状況に即応した迅速な画像取込みが行える
。
【００１５】
上記目的を達成するため、本発明の電子装置は、光学系を通して得られる画像を捕捉す
る撮像部とともに、前記光学系を自動焦点位置又は固定焦点位置に移動させるフォーカス
機構を備える電子装置であって、前記フォーカス機構に合焦を指示するフォーカススイッ
チとして機能するとともに、前記撮像部の捕捉画像の取込みを指示するシャッタースイッ
チとして機能し、操作により合焦を指示し又は捕捉画像の取込みを指示するスイッチと、
このスイッチの操作を検出すると、合焦指示か前記捕捉画像の取込み指示かを判定し、合
焦指示である場合に前記フォーカス機構の合焦を開始させ、前記フォーカス機構の合焦中
に前記スイッチのシャッター操作が行われた場合には、前記撮像部に捕捉されている合焦
途中の焦点位置の画像を確定させ、この画像を合焦途中の画像であることを示す情報とと
もに取り込む制御部とを備えた構成としてもよい。
【００１６】
斯かる構成とすれば、スイッチによる合焦処理の途上でシャッター処理が開始された場合には、合焦途上で撮像部に捕捉される画像を取り込むことができ、撮影シーン又は撮影状況に対応する迅速な画像取込みが可能になる。
【００１７】
上記目的を達成するためには、前記電子装置において、前記スイッチを第１のスイッチとして備えるとともに、この第１のスイッチとは別個に設置されて固定焦点による撮影に用いられるスイッチを第２のスイッチとして備える構成としてもよい。斯かる構成とすれば、固定焦点による撮影か自動焦点による撮影かを第１又は第２のスイッチで選択でき、撮影シーン又は撮影状況に対応した迅速な撮影に応じることができる。
【００１８】
上記目的を達成するためには、前記電子装置において、前記スイッチは、半押し状態で前記フォーカススイッチ、全押し状態で前記シャッタースイッチとして機能する構成としてもよい。斯かる構成とすれば、ＡＦ処理の維持から画像取込みまでの一連の処理を単一のスイッチで処理することが可能になる。
【００１９】
上記目的を達成するためには、前記電子装置において、前記撮像部を備える第１の筐体部（操作側筐体部４６）と、前記スイッチを備える第２の筐体部（表示側筐体部４８）と、この第２の筐体部と前記第１の筐体部とを折畳み可能に連結する連結部（ヒンジ部５０）とを備える構成としてもよい。
【００２０】
上記目的を達成するため、本発明の電子装置の撮影制御方法は、光学系を通して得られ
る画像を捕捉する撮像部とともに、前記光学系を自動焦点位置又は固定焦点位置に移動さ
せるフォーカス機構を備える電子装置の撮影制御方法であって、合焦指示か前記撮像部の
捕捉画像の取込み指示かの判定により合焦指示と判定された場合に開始される前記フォー
カス機構の合焦の最中にシャッター操作を検出する処理と、前記シャッター操作を検出し
、前記フォーカス機構の合焦に要する時間と合焦開始から前記シャッター操作の開始まで
の時間とを比較し、前記合焦開始から前記シャッター操作の開始までの時間が前記フォー
カス機構の合焦に要する時間より短い場合に合焦中の前記光学系の前記自動焦点位置から
前記固定焦点位置に切り換える処理と、前記固定焦点で捕捉される固定焦点画像を取り込
む処理とを含む構成である。斯かる構成とすれば、合焦途上でシャッター操作が行われた
場合に、自動焦点から固定焦点による画像に切り換え、その画像を取り込むので、撮影シ
ーンに対応した迅速な撮影が行える。
【００２１】
上記目的を達成するためには、前記電子装置の撮影制御方法において、前記撮像部に捕捉される前記合焦中の画像に被写体と光学系との距離を表すフォーカスマークを重ねて表示する処理を含む構成としてもよい。即ち、フォーカスマークは、合焦している被写体の画像に応じて表示され、焦点深さを表す。斯かる構成とすれば、撮像部に捕捉されている画像に表示されたフォーカスマークを視認することにより、ユーザは、画像中の何れの被写体に光学系が合焦しているのかをフォーカスマークから認識できる。
【００２２】
上記目的を達成するため、本発明の電子装置の撮影制御プログラムは、光学系を通して
得られる画像を捕捉する撮像部とともに、前記光学系を自動焦点位置又は固定焦点位置に
移動させるフォーカス機構を備える電子装置の撮影制御プログラムであって、合焦指示か
前記撮像部の捕捉画像の取込み指示かの判定により合焦指示と判定された場合に開始され
る前記フォーカス機構の合焦の最中にシャッター操作を検出するステップと、前記シャッ
ター操作を検出し、前記フォーカス機構の合焦に要する時間と合焦開始から前記シャッタ
ー操作の開始までの時間とを比較し、前記合焦開始から前記シャッター操作の開始までの
時間が前記フォーカス機構の合焦に要する時間より短い場合に合焦中の前記光学系の前記
自動焦点位置から前記固定焦点位置に切り換えるステップと、前記固定焦点で捕捉される
固定焦点画像を取り込むステップとを含む構成である。
【００２３】
この撮影処理プログラムは、撮影機能を備える電子装置の処理部に実行させることにより、既述した撮影制御方法を実現し、合焦途上でシャッター操作が行われた場合に、合焦途上の画像から固定焦点画像に切り換え、その画像を取り込むことができ、撮影シーン又は撮影状況に応じた画像取込みが行え、その迅速化が図られる。
【００２４】
上記目的を達成するため、本発明の集積回路は、光学系を通して得られる画像を捕捉す
る撮像部と、前記光学系を自動焦点位置又は固定焦点位置に移動させるフォーカス機構と
が外付けされる集積回路であって、合焦指示か前記撮像部の捕捉画像の取込み指示かの判
定により合焦指示である場合に開始される前記フォーカス機構の合焦の最中にシャッター
操作を検出する検出部（ＡＦ処理部６８）と、この検出部の検出に基づき、前記フォーカ
ス機構の合焦に要する時間と合焦開始から前記シャッター操作の開始までの時間とを比較
し、前記合焦開始から前記シャッター操作の開始までの時間が前記フォーカス機構の合焦
に要する時間より短い場合に合焦中の前記光学系の前記自動焦点位置から前記固定焦点位
置に切り換え、前記固定焦点で捕捉される固定焦点画像を取り込む制御部とを含む構成で
ある。
【００２５】
斯かる集積回路によれば、撮影機能を持つ電子装置に実装し、既述した撮影制御方法又は撮影制御プログラムを実行させ、合焦途上でシャッター操作が行われた場合に、合焦途上の画像から固定焦点画像に切り換えてその画像が取り込まれ、撮影シーン又は撮影状況に応じた迅速な画像取込みが可能になる。
【発明の効果】
【００２６】
本発明によれば、次のような効果が得られる。
【００２７】
(1) 合焦中のシャッター処理で、合焦途上の自動焦点画像から固定焦点画像に切り換え、その画像が取り込まれるので、撮影状況に応じた迅速な撮影ができ、シャッターチャンスを逃す等の不都合がない。
【００２８】
(2) 合焦中のシャッター処理で、合焦途上の自動焦点画像を取り込む構成とすれば、撮影状況に応じた迅速な撮影ができ、シャッターチャンスを逃す等の不都合がない。
【００２９】
(3) フォーカススイッチとシャッタースイッチとを単一のスイッチに割り当てて構成するので、合焦操作及び画像取込みの一連の操作の迅速化とともに簡略化を図ることができ、スイッチ構成の単純化にも寄与することができる。  
【００３０】
(4)   合焦途上の画像に被写体と光学系との距離を表すフォーカスマークを重ねて表示させれば、何れの被写体に合焦しているのかを画像中のフォーカスマークから視認することができる。
【発明を実施するための最良の形態】
【００３１】
（第１の実施形態）
本発明の電子装置及びその撮影制御方法の第１の実施形態について、図１を参照して説明する。図１は電子装置の概要を示している。
【００３２】
この実施形態に係る電子装置は携帯端末２及びカメラ４を構成し、携帯端末２は電話機能や情報処理機能を備え、カメラ４は画像撮影等の撮影機能を備え、これら携帯端末２とカメラ４とは後述するように、装置内の一部の機能部を共用しながら、同時に又は選択的に動作させることができる。撮影制御部６は、カメラ４の撮影制御を担当する処理部であって、例えば、信号検出部、プロセッサ、記憶部等を内蔵させた集積回路としてＬＳＩ（Large Scale Integration ）で構成され、この第１の実施形態では、この撮影制御部６による撮影制御には、例えば、
(1) スイッチ操作による選択的なオートフォーカス（以下「ＡＦ」という）又はパンフォーカス（以下「ＰＦ」という）の各処理
(2) ＡＦ又はＰＦ中の画像の捕捉処理
(3) ＡＦ中のシャッター処理による画像の取込み処理
(4) ＡＦ中のファインダー上の画像に対するＡＦ中を表すＡＦマーク、合焦時にＡＦ合焦マークを表示
(5) その他の撮影制御処理
等の各種処理が含まれている。上記(3) の処理は、ＡＦ中の合焦途上のＡＦ画像からＰＦ画像に切り換えられたＰＦ画像の取込み処理であるが、この画像取込み処理には、ＡＦ中の合焦途上のＡＦ画像の取込み処理としてもよい。
【００３３】
また、ベースバンド処理部８が電話機能等の通信機能の実行を担当する処理部であって、これら撮影制御部６及びベースバンド処理部８は単一又は個別のマイクロプロセッサ等で構成される。
【００３４】
そして、撮影制御部６及びベースバンド処理部８はバス１０を通して連係されており、このバス１０には無線送受信部１２、光学的提示部としてのＬＥＤ（Light Emitting Diode）１４、情報提示部として第１及び第２のＬＣＤ（Liquid Crystal Display）１６、１８、情報記憶部としてのＲＡＭ（Random-Access Memory）２０、画像情報記憶部等としてフラッシュメモリ（ＦＬＡＳＨ）２２及び入力操作部２４等が接続されている。無線送受信部１２は、音声情報、映像情報等の各種の情報を含む無線信号に変換してアンテナ２５を通じて送信するとともに、アンテナ２５を通して無線信号を受信する。ＬＥＤ１４は、表示部やインジケータの一例であって、機能表示や告知等に用いられ、例えば、電話着信時に点灯、シャッター操作時に点灯し、その動作状況を告知する。各ＬＣＤ１６、１８は、情報提示部の一例であって、通信モードとして例えば、メールモードでは送受信のための文字情報、画像情報等を表示し、また、撮影時にはカメラ４の捕捉画像を表示するファインダーを構成し、ＡＦ画像又はＰＦ画像の表示、記憶部に取り込まれる画像、ＡＦ合焦マーク等が表示される。ＲＡＭ２０は処理途上の情報を格納する記憶部であり、ＦＬＡＳＨ２２は既述の確定画像等の情報が格納される。また、入力操作部２４は複数の例えば、キースイッチ等で構成され、電話番号を入力する入力スイッチ、ＡＦを指令するフォーカスキー、ＰＦ及びシャッターを指令する固定焦点シャッターキー等の各種のスイッチを含んでいる。
【００３５】
また、撮影制御部６側には光学系、画像入力部等が構成され、その一例として、レンズ２６を備える光学系、撮像部としてのＣＣＤ（Charge Coupled Device ）２８、アナログ・ディジタル変換器（ＡＤＣ）３０及びフォーカス機構３２が設置されている。レンズ２６は被写体の結像をＣＣＤ２８に投影させる光学系を構成している。ＣＣＤ２８は、レンズ２６を通して結像される画像を捕捉してアナログ電気信号である画像信号に変換するとともに、露光及び電子シャッター等の機能も備えている。ＡＤＣ３０は、ＣＣＤ２８からの画像信号がアナログ信号の場合に設置され、そのアナログ信号をディジタル信号に変換し、撮影制御部６に入力する。また、フォーカス機構３２は、ＡＦ機能やＰＦ機能を備え、レンズ２６の合焦距離を変更する。この場合、撮影制御部６、レンズ２６、ＣＣＤ２８、ＡＤＣ３０及びフォーカス機構３２により、レンズ２６を通して得られる画像情報の演算処理によりレンズ２６の焦点を最適位置に制御するオートフォーカス機構が構成されている。
【００３６】
また、ベースバンド処理部８側には音声を入力するための音声入力部としてマイクロフォン３４が備えられている。このマイクロフォン３４からの音声信号は、増幅器（ＭＩＣ−ＡＭＰ）３６で増幅され、アナログ・ディジタル変換器（ＡＤＣ）３８でディジタル信号に変換されてベースバンド処理部８に加えられる。また、ベースバンド処理部８から出力される音声情報は、ディジタル・アナログ変換器（ＤＡＣ）４０を経てアナログ信号に変換され、増幅器（ＳＰＫ−ＡＭＰ）４２で増幅されてスピーカ４４に加えられる。
【００３７】
斯かる構成において、入力操作部２４の切換え操作により撮影モード又は電話モード等が選択される。撮影モードが選択されると、カメラ４が起動され、レンズ２６を通してＣＣＤ２８に検出された画像がＬＣＤ１６に表示される。この画像は、入力操作部２４による表示切換えによってＬＣＤ１８側に表示させることができる。
【００３８】
そして、撮影モードにおいて、入力操作部２４に設定されているシャッターキーの操作によりＡＦモードが実行される。例えば、シャッターキーの半押し状態でＡＦ処理が実行される。このとき、ファインダーを構成するＬＣＤ１６にはレンズ２６を通してＣＣＤ２８に捕捉されている画像が表示されるとともに、レンズ２６と被写体の距離を表すＡＦマーク（図１１）や合焦時には合焦マークが重ねて表示される。このＡＦマークの形態として例えば、大きさがレンズ２６と被写体の距離や焦点深さを表す。そして、この状態からシャッターキーを全押し状態にすれば、その捕捉画像が確定して取り込まれ、ＦＬＡＳＨ２２に格納される。この画像の格納には、他の記録媒体を用いてもよい。
【００３９】
また、入力操作部２４に設定されているシャッターキーによりＰＦモードが選択されると、ＣＣＤ２８に捕捉される固定焦点画像がそのシャッターキーの操作で同様にＦＬＡＳＨ２２に格納されることになる。ＡＦ処理又はＰＦ処理は入力操作部２４の切換え操作又はシャッターキーを割り当てられたキー操作によって自由に選択することが可能である。
【００４０】
そして、ＡＦ中に入力操作部２４のシャッターキーを半押し状態から全押し状態に移行させると、合焦完了前にシャッター操作が行われることになる。この場合、フォーカス機構３２の合焦に要する時間をｔｆとし、ＡＦの合焦開始からシャッターの操作開始までの時間をｔｓとすれば、ｔｆ＞ｔｓの関係が成立する場合には、ＡＦ処理を中断し、ＰＦ処理に移行させ、ＰＦ処理でレンズ２６を通してＣＣＤ２８に結像、捕捉される画像を撮影制御部６に取り込み、ＦＬＡＳＨ２２に格納する。このような処理によれば、撮影シーンや撮影状況にあった被写体の画像取込みが可能となり、シャッターチャンスを逃すことがない。
【００４１】
また、このＡＦ中の合焦完了前にシャッター操作による画像の確定、その取込みについて、ＡＦ処理からＰＦ処理に移行させることなく、ＡＦ処理を中断し、ＣＣＤ２８に捕捉されている合焦途上の画像を撮影制御部６に取り込み、ＦＬＡＳＨ２２に格納する。このような処理によっても、撮影シーンや撮影状況にあった被写体の画像取込みが可能となり、シャッターチャンスを逃すことがない。この場合、合焦途上の画像について、合焦後の画像又はＰＦ画像と区別するため、取り込んだ画像中に又はその画像に関連付けて合焦途上の画像であることを表す情報をＬＣＤ１６に表示、又はこれらの情報を画像とともにＦＬＡＳＨ２２等に格納してもよい。
【００４２】
そして、電話モードが選択された場合には、入力操作部２４から入力された電話番号等の識別情報やマイクロフォン３４からの音声情報、その他の情報が変調等の処理により無線信号に変換されてアンテナ２５から電話局等に向けて送信され、また、電話局等からの送信信号はアンテナ２５を通じて受信される。通話時には、マイクロフォン３４に入力された音声信号は増幅器３６で増幅され、ＡＤＣ３８でディジタル信号に変換された後、ベースバンド処理部８に加えられる。また、受話時には、受信した音声信号等の情報に復調等の処理が施され、音声情報はＤＡＣ４０を経てアナログ信号に変換されて増幅器４２で増幅された後、スピーカ４４から音声として発せられる。このような電話モードにおいて、ＦＬＡＳＨ２２に格納されている画像や、ＣＣＤ２８に捕捉されている画像がベースバンド処理部８による情報処理や変調処理を経て無線送受信部１２から送信されるとともに、外部からの画像受信も行える。
【００４３】
次に、携帯端末２、カメラ４を構成する電子装置の外観形態について、図２及び図３を参照して説明する。図２は、電子装置の前面側の形態、図３は、電子装置の背面側の形態を示している。図１に示した実施形態と同一部分には同一符号を付して関連付けを行っている。
【００４４】
この実施形態の電子装置では、第１の筐体部として操作側筐体部４６と、第２の筐体部として表示側筐体部４８とを連結部としてのヒンジ部５０で連結するとともに折畳み可能に構成されており、操作側筐体部４６には入力操作部２４、マイクロフォン３４等が配置され、表示側筐体部４８にはＬＣＤ１６及びスピーカ４４等が配置されている。入力操作部２４には前面部及び側面部に複数のキースイッチが設置されており、この実施形態では、電話機能操作に割り当てられたスイッチを用いて、カメラキー２０２、第１のスイッチとして、フォーカススイッチ及びシャッタースイッチを兼用するサイドキー２０４、第２のスイッチとしてシャッターキー２０６、ズームアップキー２０８、ズームダウンキー２１０、フレーム選択キー２１２、ファインダー切換キー２１４、接写モードキー２１６、サイズ切換キー２１８、シャッターモード選択キー２２０等が既存のキースイッチに割り当てられている。カメラキー２０２は電話モードから撮影モードへの切換えに用いられ、撮影モードの実行中にはフレーム選択キーとして用いられる。サイドキー２０４には撮影モードにおいて２つの機能が割り当てられており、半押し状態でＡＦ処理の実行開始及びその実行、全押し状態でシャッター操作、ＡＦ処理中に全押し状態とした場合にはシャッター操作指令が撮影制御部６に入力される。また、シャッターキー２０６は、ＰＦ処理によるシャッター操作に用いられる。
【００４５】
また、操作側筐体部４６の側面側にはサイドキー２０４が配置され、また、表示側筐体部４８の背面側には、その上部にカメラモジュール５２、その中央部にＬＣＤ１８が配置されている。
【００４６】
斯かる構成とすれば、カメラキー２０２の押下により撮影モードとなり、レンズ２６を通してＣＣＤ２８に検出された画像がファインダーを構成するＬＣＤ１６に表示される。ファインダー切換キー２１４を押下すれば、ＬＣＤ１６からＬＣＤ１８側に画像表示が切り換えられ、捕捉されている画像がＬＣＤ１８に表示される。フレームはフレーム選択キー２１２又はフレーム選択キーが割り当てられているカメラキー２０２の押下によって切り換えられる。また、ズームアップキー２０８、ズームダウンキー２１０の押下により、ズームモードに切り換わり、ズームアップキー２０８の押下によりズーム倍率の増加、ズームダウンキー２１０の押下によりズーム倍率の減少となる。また、接写モードキー２１６の押下により接写モードへの移行又はその解除が行われる。また、サイズ切換キー２１８の押下により画像サイズを変更することができる。
【００４７】
そして、サイドキー２０４を押下すると、ＡＦモードが選択され、その半押し状態でＡＦ処理が実行され、この半押し状態から全押し状態にすれば、捕捉されている画像が確定し、その画像がＦＬＡＳＨ２２に格納される。また、シャッターキー２０６を押下すると、ＰＦモードが選択されて固定焦点となるとともに、ＰＦ画像がＦＬＡＳＨ２２に格納されることになる。この場合、サイドキー２０４を半押し状態とし、シャッターキー２０６を押下した場合、ＡＦ画像又は合焦途上のＡＦ画像が確定し、同様にＦＬＡＳＨ２２に格納される構成としてもよい。
【００４８】
次に、携帯端末２のＡＦ機構について、図４を参照して説明する。図４はＡＦ機構の概要を示している。この図４において、図１と同一部分には同一符号を付して関連付けを行っている。
【００４９】
このＡＦ機構５４において、カメラモジュール５２には、レンズ２６、ＣＣＤ２８、位置検出部（ＰＩ：Photo Interrupter ）５６及びステッピングモータ５８等が設けられている。ＰＩ５６は、レンズ２６の焦点調整範囲内に設定され、その焦点の基準位置を表している。また、ステッピングモータ５８は、レンズ２６の位置を前後に移動させる駆動部を構成し、その回転軸６０にはギヤ６２が取り付けられ、撮影制御部６からの制御信号ＣＳを受けてレンズ２６を所定量だけ進出又は後退させる。カメラモジュール５２には、レンズ２６を通して結像させたＣＣＤ２８から画像信号が得られるとともに、レンズ２６の移動位置を表す位置検出信号が得られる。即ち、カメラモジュール５２は、レンズ２６の合焦動作を行うとともに、レンズ２６の位置を検出する位置検出部を構成している。
【００５０】
撮影制御部６には、アナログ信号である画像信号がＡＤＣ３０でディジタル信号に変換されて加えられるとともに、ＰＩ５６から位置検出信号が加えられる。撮影制御部６には、信号処理部として高域通過フィルタ（ＨＰＦ）６４、画像比較処理部６６及びＡＦ処理部６８が設置されている。ＨＰＦ６４は画像信号から高域画像信号を取り出し、この高域画像信号は合焦情報の演算等に用いられる。画像比較処理部６６は、画像の取込みタイミング等を単位とする前回画像と最新画像とを比較し、その比較結果として合焦情報を出力する。
【００５１】
また、ＡＦ処理部６８は、入力操作部２４のサイドキー２０４、シャッターキー２０６等のキー入力を受け、ＡＦ機構５４の合焦中のシャッター操作を検出する検出部として機能するとともに、その検出に基づき、合焦中のレンズ２６の自動焦点位置から固定焦点位置への切換え処理、固定焦点で捕捉されている固定焦点画像の取込み処理、画像情報に応じてレンズ２６の位置を制御する処理等を実行する制御部として機能する。そこで、斯かる機能を実現するため、ＡＦ処理部６８には、プロセッサ、撮影制御プログラム等を格納する記憶部、レンズ２６の現在位置や焦点距離に応じたレンズ位置を記憶する記憶部としてレンズ位置カウンタ等が内蔵されている。撮影制御プログラムとしては、例えば、ＡＦ機構５４の合焦中のシャッター操作を検出するステップ、シャッター操作を検出し、合焦中のレンズ２６の自動焦点位置から固定焦点位置への切換えを行うステップ、捕捉されている固定焦点画像を記憶部に取り込むステップからなる処理を含んでいる。
【００５２】
また、ＡＦ処理部６８には、合焦処理において、ＨＰＦ６４の出力とともに画像比較処理部６６の出力を受け、ステッピングモータ５８の正転又は逆転及びその回転量を表す制御信号ＣＳとして２相信号であるＡ相信号、Ｂ相信号が出力される。これらの処理はハードウェアによる信号処理としてもよく、マイクロプロセッサを用いたソフトウェア信号処理としてもよい。
【００５３】
そして、ＣＣＤ２８に捕捉されて撮影制御部６のＡＦ処理部６８に取り込まれた画像は、バス１０を通してベースバンド処理部８に加えられるとともに、ＦＬＡＳＨ２２に加えられ、ＦＬＡＳＨ２２にはシャッター操作に基づいて取り込まれた画像が格納される。
【００５４】
次に、カメラモジュール５２にレンズ２６の位置を検出する位置検出部について、図５を参照して説明する。図５は、位置検出部であるＰＩ５６の概要を示している。
【００５５】
このＰＩ５６は、発光素子７０と受光素子７２とを一定の間隔を設けて対面させたフォトカプラ７４を備え、発光素子７０と受光素子７２との間に可動する遮蔽板７６が設置され、この遮蔽板７６がレンズ２６側に設置されている。ＡＦ機構５４によってレンズ２６が移動すると、遮蔽板７６がそれに協動し、Ｆ方向に移動した場合には受光素子７０に対する受光が阻止され、Ｂ方向に移動した場合には受光素子７０に受光されることから、遮蔽板７６の移動位置が受光素子７０に得られる高低２レベル（Ｈ／Ｌ）のレベル変化によって知ることができる。
【００５６】
次に、ＡＦ機構５４を用いたオートフォーカス制御について、図６を参照して説明する。図６はＡＦ制御を示し、Ａはレンズ２６の移動範囲、その移動及び移動位置、ＢにはＰＩ出力、Ｃは初期設定時のフォーカス検出、Ｄは使用時のフォーカス検出を示し、Ａにおいて、矢印ａ、ｂ、ｃ、ｄ及びｅはレンズ２６の移動を示している。
【００５７】
このＡＦ機構５４では、レンズ２６の有効移動範囲Ｌｅ〔ｍｍ〕の前後に移動可能範囲としてＬｍ〔ｍｍ〕が設定され、有効移動範囲Ｌｅ〔ｍｍ〕に焦点距離が最小Ｄ9 〔ｍｍ〕からＤ8 、Ｄ7 ・・・無限大Ｄmax 〔ｍｍ〕の範囲が設定されている。この焦点距離の範囲をｍステップで制御する場合、レンズ２６の可動範囲は全体でＮmax パルス分内のＮｍパルスが最小Ｄ9 〜無限大Ｄmax に相当する。この制御範囲を超えて無限大方向へ移動させると、レンズ２６を移動させるギヤ機構を破損から防護するため、制御範囲内のＰＩ５６を検出する。マクロ方向へ制御範囲を超えて制御した場合には、レンズ２６を機械的に無限大方向へ移動させる。この移動には、図示しない例えば、カムリセット機構を用いればよい。
【００５８】
基本的な制御としては、ＰＩ５６の位置により、レンズ２６の停止位置等を変更し、被写体深度により最近接位置での焦点位置検出等が行われる。
【００５９】
(1) カメラモジュール５２の動作確認試験（例えば、製造時）
ステッピングモータ５８の動作、ＰＩ５６からの入力が正常か否かが確認される。Ｒ（赤）Ｇ（緑）及びＢ（青）の感度調整のためにレンズ２６の位置を試験位置へ移動させる。カメラモジュール５２の動作確認の開始時にＰＩ５６からＬ（：Low ）レベル出力が検出されたら、レンズ２６をＰＩ５６の出力がＬレベルからＨ（：High）レベルになるまでレンズ２６の位置を移動させる。最大Ｎmax パルス分、前方へ移動させてＰＩ５６の出力がＨレベルとならない場合には故障通知を行う。
【００６０】
また、動作確認開始時にＰＩ５６からＨレベル出力を検出したら、最大Ｎmax パルス分だけ前方にレンズ２６を移動させる。この前方移動によりカムリセットを行い、後方（無限大位置）へレンズ２６を移動することによってＰＩ５６の出力がＨレベルからＬレベルとなるまで移動する。最大Ｎmax パルス分だけ前方に移動してＰＩ５６の出力がＬレベルにならない場合には故障通知とする。次に、カムリセット（ＰＩ５６の出力がＨレベルからＬレベル）から所定数として例えば、４０パルス分、前方へ移動する。この位置をＲＧＢ感度調整位置とする。この位置は、無限大焦点の位置となる。
【００６１】
(2) レンズ２６の位置検出の調整（例えば、製造時）
例えば、工場での製造時、基準対象物（レンズ２６のトップ位置から所定距離）に焦点が合っているかを検出し、ＰＩ５６の出力からＰＩ５６がどの位置であるかを検出する。図６において、７８はその基準対象物の結像を示し、その位置が基準対象物の合焦位置である。ＰＩ５６は制御範囲の中間位置よりやや無限大寄りに位置するが、組立誤差により個体差のバラツキによる位置ズレが生じるので、次のようにしてＰＩ５６の位置を検出し、その位置を記録する。
【００６２】
この場合、位置検出調整開始時にＰＩ５６でＬレベル出力の検出がされたら、最大Ｎmax パルス分だけレンズ２６を前方（即ち、マクロ方向）へ移動させ、ＰＩ５６の出力がＬレベルからＨレベルに移行する検出を行う。この位置検出調整開始時、ＰＩ５６の出力にＨレベルを検出した場合には、最大所定パルス数Ｎパルス分だけ前方にレンズ２６を移動させ、この前方移動によりカムリセットを行い、後方（即ち、無限大位置）へレンズ２６を移動させ、この場合、レンズ２６はＰＩ５６の出力がＨレベルからＬレベルに移行するまで移動させる。カムリセット位置ＣＲから所定数Ｎパルス分だけレンズ２６を前方へ移動させる。その移動途中でＰＩ５６の出力がＬレベルからＨレベルに変化する位置をパルス数で記録する。この場合、所定数Ｎパルス分の前方移動後、基準対象物に焦点が合うまで１パルスずつレンズ２６を前方に移動させる。試験時には例えば、位置検出用のＤ10（例えば、８５ｍｍ）の位置試験チャート入力とし、１パルスずつ焦点の測定を行い、最大値が検出されるパルス位置を記録する。所定のパルス数の位置を原点にし、バーコード位置（Ｄ9 ）を算出する。レンズ２６の合焦処理は、特定の画像範囲の画素間のコントラストの差分値の加算情報を用いており、その加算値がレンズ２６を移動させても所定値以下の場合には、合焦調整不可による故障通知としてＬＣＤ１６にその故障表示を行い、シリアル通信を行う。
【００６３】
そして、焦点位置を検出したら、ＰＩ５６の位置から焦点位置までの距離Ｌｆ〔ｍｍ〕を表すパルス数Ｎをベースバンド処理部８の記憶部に格納する。また、位置検出調整開始時に所定パルスだけ前方に移動しても、ＰＩ５６の出力がＬレベルからＨレベルに移行しない場合には、ＰＩ５６が故障であると判定し、その故障通知としてＬＣＤ１６に故障表示とともにシリアル通信を行う。
【００６４】
(3) カメラ４の起動（通常モード）
カメラ４を使用する場合、電源投入でＰＩ５６にＬレベル出力が検出されたとき、最大パルス数Ｎmax パルスだけ前方へレンズ２６を移動させ、ＰＩ５６にＨレベル出力が得られるまでレンズ２６を移動させる。ＰＩ５６の位置を検出した後、上位からの固定位置までの移動に従って指定位置へレンズ２６を移動させる。静止画ファインダーの無限大位置に移動する場合には、後方へ所定パルスだけ移動させた後、所定パルス数として例えば、３パルス分だけレンズ２６を前方に移動させ、原点位置に復帰させる。この場合、レンズ２６の移動機構のバックラッシュ補償として３パルスを設定し、無限遠方向に３パルス分だけ余分に戻り、前方方向に位置決めしている。電源投入時にＰＩ５６にＨレベル出力が得られている場合には、前方へ最大パルス数Ｎmax パルスだけ移動させてカムリセットを行い、ＰＩ５６のＬレベル出力を通過し、さらに前方へ移動させてＰＩ５６の出力のＬレベルからＨレベルへの移行を検出する。その後、原点位置までレンズ２６を移動させ、最大パルス数Ｎmax パルスだけ移動しても、ＰＩ５６の出力レベルがＬレベルに移行しない場合には、ＰＩ５６を故障とし、故障通知を行う。
【００６５】
(4) カメラ４の動作停止
カメラ４の停止時には現在位置から所定位置までレンズ２６を移動させて停止させ、カメラ４の起動時に原点検出の迅速化を図る。このような処理により、ＣＣＤ２８の太陽光による影響を低減させることができる。
【００６６】
(5) フォーカス位置
フォーカス位置は通常モードでは表１、接写モードでは表２の位置となる。
【００６７】
ａ）通常モード
【００６８】
【表１】
0004607448.tif 000002
この通常モードにおいて、各数値の大小関係は、Ｒ1 ＜Ｒ2 ＜Ｒ3 、Ｎ1 ＜Ｎ2 ＜Ｎ3 、Ｄ1 ＞Ｄ2 ＞Ｄ3 、ＤＦ1 ＞ＤＦ2 ＞ＤＦ3 、∞＞ＤＢ2 ＞ＤＢ3 である。
【００６９】
表２に示す接写モードから通常モードへ切り換えた場合には、位置Ｄ1 （パルス数Ｎ1 ）に移動し、フォーカス検出を容易にする。暗闇モード時には原点位置のみとし、ＡＦ制御は行わない。
【００７０】
ｂ）接写モード
【００７１】
【表２】
0004607448.tif 000003
この接写モードにおいて、各数値の大小関係は、Ｒ4 ＜Ｒ5 ＜Ｒ6 ＜Ｒ7 ＜Ｒ8 ＜Ｒ9 、Ｎ4 ＜Ｎ5 ＜Ｎ6 ＜Ｎ7 ＜Ｎ8 ＜Ｎ9 、Ｄ4 ＞Ｄ5 ＞Ｄ6 ＞Ｄ7 ＞Ｄ8 ＞Ｄ9 、ＤＦ4 ＞ＤＦ5 ＞ＤＦ6 ＞ＤＦ7 ＞ＤＦ8 ＞ＤＦ9 、ＤＢ4 ＞ＤＢ5 ＞ＤＢ6 ＞ＤＢ7 ＞ＤＢ8 ＞ＤＢ9 である。
【００７２】
通常モードから接写モードに切り換えた場合には、Ｄ4 〔ｍ〕、ＤＦ4 〔ｍ〕の位置（パルス数Ｎ4 ）へ移動する。暗闇モード時には原点（距離：Ｄ4 〔ｍ〕の位置）のみとし、ＡＦ制御は行わない。
【００７３】
(6) 静止画撮影モード
ａ) 通常ファインダーモード
無限大位置にレンズ２６が固定され、入力操作部２４のスイッチに割り当てられたサイドキー２０４の半押し状態にてフォーカス値の検出が行われ、レンズ移動が実行される。各フォーカス位置を１回ずつ測定し、最大値を示すレンズ位置へ移動する。フォーカス値の検出時は自動露光処理を停止させる。この場合、移動機構のバックラッシュのために無限遠方向に所定パルスとして例えば、３パルス分、余分に戻して前方に所定パルス例えば、３パルス繰り出す処理を実行する。
【００７４】
この場合、サイドキー２０４の半押しでＡＦ機能を起動させ、その押し直しで再度ＡＦ機能を起動させる。サイドキー２０４の操作が停止、即ち、ユーザがサイドキー２０４を離した場合には、原点にレンズ２６が戻される。
【００７５】
ｂ) 接写撮影モード
この場合、サイドキー２０４の半押しでＡＦ機能を起動させ、その押し直しで再度ＡＦ機能を起動させる。サイドキー２０４を離した場合には、原点にレンズ２６を戻し、接写撮影時も通常ファインダー時と同様にズーム設定を行うことができる。
【００７６】
ｃ) バーコード撮影モード
起動時は最接近位置Ｄ9 〔ｍｍ〕の位置に固定し、ユーザ操作によりＤ4 〔ｍｍ〕の位置との切換えをするように制御する。
【００７７】
(7) 動画撮影モード
動画撮影モードでは、Ｄ1 〔ｍｍ〕（原点）での固定焦点とする。
【００７８】
次に、静止画撮影モードのタイミングについて、図７を参照して説明する。図７は静止画撮影モードのタイミングを示し、Ａは時間経過、Ｂは露光、Ｃは転送タイミング、ＤはＡＦ処理、Ｅはモータ制御、ＦはＡＥ処理を示している。
【００７９】
静止画撮影モードでは、サイドキー２０４の半押し状態でファインダーモードが実行され、サイドキー２０４の全押し状態で画像の取得が行われる。図７のＡにおいて、Ｔ1 は１フレーム毎の露光時間の単位を示し、１フレーム毎に露光処理が実行される（図７のＢ）。この露光処理の実行とともにその画像の転送が行われる（図７のＣ）。ＡＦ処理では、図７のＤに示すように、計測処理が所定時間毎に実行され、この場合、３回の計測で制御範囲が判定される。レンズ２６を移動させるためのモータ制御では、計測処理毎にＮパルス（例えば、５パルス）が発せられ、制御範囲の確定時に例えば、２Ｎパルスに所定数ｎとして例えば、３パルスが付加されたパルス数（２Ｎ＋ｎ＝２Ｎ＋３）がモータ制御に用いられる。また、ＡＥ処理では、サイドキー２０４の半押しでＡＥモードが実行され、１回の計測でＡＥロックが実行される。そして、サイドキー２０４の全押しで、画像の１フレーム分が取得され、この取得時間はＴ2 （＞Ｔ1 ）である。
【００８０】
この静止画撮影モードにおいて、通常モードでのＡＦ時間ＡＦNTは、
ＡＦNT＝露光時間＋転送時間＋モータ制御時間
となる。また、接写モードでのＡＦ時間ＡＦMTも同様に、
ＡＦMT＝露光時間＋転送時間＋モータ制御時間
となる。これらＡＦ時間の大小関係は、ＡＦMT＞ＡＦNTである。
【００８１】
次に、ズーム撮影モードのタイミングについて、図８を参照して説明する。図８はズーム撮影モードのタイミングを示し、Ａは時間経過、Ｂは露光、Ｃは転送タイミング、ＤはＡＦ処理、Ｅはモータ制御、ＦはＡＥ処理を示している。このズーム撮影モードでは、図８のＢ及びＣに示すように、露光に同期して１フーム毎の転送が行われる。
【００８２】
このズーム撮影モードにおいて、ＡＦ時間ＡＦZTは、
ＡＦNT＝転送時間＋モータ制御時間
となる。そして、暗所撮影モードでは、ＡＦ動作に時間がかかり、実用性が低いので、原点位置での固定焦点とする。
【００８３】
次に、フォーカス制御のモータ制御について、図９を参照して説明する。図９は、モータの回転方向と制御信号の関係を示し、ＡはＡ相側の駆動パルス、ＢはＢ相側の駆動パルス、Ｃはイネーブル信号を示している。
【００８４】
これらの制御信号では、時間ｔ1 を単位とし、２ｔ1 の時間幅のパルス幅を持つＡ相及びＢ相の駆動パルスＩＮ1 、ＩＮ2 、５ｔ1 の時間幅のパルス幅を持つイネーブル信号が用いられている。レンズ２６を進出させる繰出し期間ＲＦでは、イネーブル信号のＨレベル期間内でＢ相側の駆動パルスＩＮ2 を時間ｔ1 だけ進相状態に設定し、また、レンズ２６を後退させる繰戻し期間ＲＢでは、イネーブル信号のＨレベル期間内でＡ相側の駆動パルスＩＮ1 を時間ｔ1 だけ進相状態に設定する。
【００８５】
斯かる構成とすれば、駆動パルスＩＮ1 、ＩＮ2 の相操作とイネーブル信号の組み合わせとにより、繰出し期間ＲＦではステッピングモータ５８を例えば、正転させてレンズ２６を進出させ、繰戻し期間ＲＢではステッピングモータ５８を逆転させてレンズ２６を後退させ、合焦位置にレンズ２６を移動させることができる。
【００８６】
次に、ＬＣＤ１６に表示されるファインダー画面について、図１０〜図１３を参照して説明する。図１０は通常モードのファインダー画面、図１１はＡＦ途上の画面、図１２は合焦時の画面を示している。
【００８７】
通常モードでは、図１０に示すように、ＣＣＤ２８に結像している画像がＬＣＤ１６で構成されるファインダー画面８０に表示される。また、サイドキー２０４が半押し状態に維持されると、図１１に示すように、そのＡＦ中、ＬＣＤ１６にはその途上のファインダー画面８２が表示される。この場合、ＡＦ中ではＡＦ処理部６８からＡＦ中を表すＡＦマーク８４が取り出され、このＡＦマーク８４がファインダー画面８２に合成されて表示される。この実施形態では、ＡＦマーク８４を構成する枠部８５（図２２）は矩形有色透明枠であり、ファインダー画面８２の中央に表示される。このＡＦマーク８４は、レンズ２６の移動中、即ち、ＡＦ中に表示され、ＡＦが合焦状態に移行すると消失させ、図１２に示すように、ＡＦ処理部６８から合焦状態を表すＡＦ合焦マーク８６が取り出され、このＡＦ合焦マーク８６がファインダー画面８２に合成されて表示される。この実施形態では、ＡＦ合焦マーク８６は有色透明の十字形で構成され、ファインダー画面８２の中央に表示される。
【００８８】
また、ＡＦ中、被写体とレンズ２６との距離が長くなると、画面内容に広がりが生じるとともに被写体を表す画像８８は小さくなり、画像中の何れの被写体に合焦しているのかを視認することが困難になる場合が予想される。そこで、例えば、図１３に示すように、被写体とレンズ２６との距離に応じてＡＦマーク８４も小さく表示する。
【００８９】
斯かる構成とすれば、ファインダー画面８０、８２の比較から明らかなように、ＡＦマーク８４の有無で通常ファインダー画面かＡＦ中かの差異を容易に判別でき、ＡＦマーク８４かＡＦ合焦マーク８６かによりＡＦ中か合焦時かを容易に判別できる。また、ＡＦマーク８４の大きさが被写体との距離を表し、合焦している被写体の画像に応じて表示されるので、レンズ２６の焦点深さを表すことになるので、そのＡＦマーク８４の大きさからレンズ２６と被写体との距離、何れの被写体に合焦しているのかを視覚的に容易に確認することができる。また、撮影範囲や画面サイズの変更や選択にもＡＦマーク８４を利用することができる。
【００９０】
次に、携帯端末２の撮影制御について、図１４及び図１５を参照して説明する。図１４及び図１５は、ＡＦ中の強制シャッター処理によるＰＦ画像の取込み制御を示している。図中、Ａ、Ｂ、Ｃは結合子である。
【００９１】
カメラ４を起動すると、レンズ２６を初期位置に移動させる（ステップＳ１）。この初期位置とは例えば、原点位置である。初期位置に移動させた状態でキー押下の待機状態となり（ステップＳ２）、シャッター操作としてサイドキー２０４の操作の検出に基づき、サイドキー２０４が半押し状態か全押し状態かが判定される（ステップＳ３）。サイドキー２０４が半押し状態の場合にはＡＦモードが実行され、焦点位置が無限遠となる位置にレンズ２６を移動させる（ステップＳ４）。ここで、レンズ位置カウンタ＝１、最大合焦値＝０とし（ステップＳ５）、この状態でＣＣＤ２８から画像信号を取り込み（ステップＳ６）、ＡＦ合焦値の測定を行い、その合焦値をＲＡＭ２０に格納し（ステップＳ７）、その合焦値が最大合焦値より小さいか否かを判定する（ステップＳ８）。
【００９２】
最大合焦値＞合焦値でない場合には最大値レンズ位置＝レンズ位置カウンタ、最大合焦値＝合焦値に変更した後（ステップＳ９）、最終レンズ位置か否かを判定し（ステップＳ１０）、最終レンズ位置でない場合にはシャッター操作の検出に基づき、強制シャッター処理（合焦途上でのシャッター処理）か否かを判定する（ステップＳ１１）。この強制シャッター処理は、ＡＦ中にサイドキー２０４を半押し状態から全押し状態に移行させて、画像を取り込む処理である。強制シャッター処理でない場合には、ＡＦ合焦前のファインダー画像作成処理を実行し（ステップＳ１２）、その作成に基づき、ファインダー画像を表示させる（ステップＳ１３）。ステップＳ８において、最大合焦値＞合焦値である場合にはステップＳ９の処理を飛ばしてステップＳ１０に移行し、ステップＳ１１〜Ｓ１３の処理を行う。
【００９３】
このファインダー画像の表示の後、次のレンズ位置へレンズ２６を移動させ（ステップＳ１４）、レンズ位置カウンタの計数値をインクリメントし（ステップＳ１５）、ステップＳ６に戻る。ステップＳ６〜ステップＳ１５を繰り返すことによりＡＦ処理が実行される。
【００９４】
そして、ステップＳ１０において、最終レンズ位置に到達している場合には、最終レンズ位置の合焦値が最大合焦値であるか否かを判定し（ステップＳ１６、図１５）、その合焦値が最大でない場合には最大値レンズ位置の示すレンズ位置へレンズ２６を移動させ（ステップＳ１７）、その状態でＣＣＤ２８からファインダー画像を取り込み（ステップＳ１８）、ＡＦ合焦マーク８６をファインダー画像に重ね合わせ（ステップＳ１９）、そのファインダー画像とともにＡＦ合焦マーク８６を表示させる（ステップＳ２０）。この場合、ステップＳ１６において、最終レンズ位置の合焦値が最大である場合には、ステップＳ１７〜ステップＳ１８を飛ばしてステップＳ１９及びステップＳ２０の処理を実行する。
【００９５】
このファインダー画像の表示状態で、サイドキー２０４が離されたか否かが判定され（ステップＳ２１）、次にサイドキー２０４が全押し状態か否かが判定され（ステップＳ２２）、全押し状態でない場合にはステップＳ１８に戻り、サイドキー２０４が全押し状態の場合には、ＣＣＤ２８から撮影画像を取り込み（ステップＳ２３）、その撮影画像を保存するため、圧縮処理が実行され（ステップＳ２４）、撮影を完了する。また、ステップＳ２１でサイドキー２０４が離された場合にはステップＳ１に戻り、ステップＳ１〜ステップＳ２１の全処理が再度行われる。
【００９６】
そして、ステップＳ３において、キー押下待ちの状態からサイドキー２０４が全押し状態となった場合にはステップＳ２３に飛び、ＣＣＤ２８から撮影画像の取り込みが行われる。
【００９７】
また、ステップＳ１１において、強制シャッター処理、即ち、ＡＦ中にサイドキー２０４を半押し状態から全押し状態に移行させた場合には、ステップＳ１２の処理を行うことなく、レンズ２６をＰＡ位置又は予め設定した位置に移動させ（ステップＳ２５）、その状態でＣＣＤ２８からファインダー画像を取り込み（ステップＳ２６）、そのファインダー画像を表示し（ステップＳ２７）、ステップＳ２３に移行し、ＣＣＤ２８から撮影画像の取り込みが行われ、撮影画像の圧縮処理が実行され（ステップＳ２４）、撮影を完了する。
【００９８】
斯かる構成とすれば、強制シャッター処理では、フォーカス機構３２の合焦に要する時間の経過前にシャッター操作が行われたので、ＡＦ完了後の画像の取込みを断念してＡＦ処理からＰＦ処理に移行し、例えば、無限遠の合焦位置での画像を取り込むので、ＣＣＤ２８の捕捉画像の取込みが迅速化され、シャッターチャンスを逃すことなく、撮影シーンや撮影状況に応じた迅速な撮影ができる。
【００９９】
次に、ＡＦ合焦前のファインダー画像の作成について、図１６を参照して説明する。図１６はＡＦ合焦前のファインダー画像の作成処理を示している。
【０１００】
ＡＦ合焦前のファインダー画像の作成では、合焦値が最大値レンズ位置に相当するＡＦマーク８４を取り出し（ステップＳ１０１）、このＡＦマーク８４を現在のファインダー画像に合成させる（ステップＳ１０２）。この処理は既述したように、ファインダー画面８２には図１１に示すように、被写体画像８８に重ね合わされて表示される。
（第２の実施形態）
次に、本発明の電子装置、撮影制御方法及び撮影制御プログラムの第２の実施形態について、図１７及び図１８を参照して説明する。図１７及び図１８は、ＡＦ中の強制シャッター処理でＡＦ中の画像の取込み制御について示している。図中、Ｄ、Ｅ、Ｆは結合子である。
【０１０１】
この実施形態は、撮影制御部６の撮影制御として、
(1) サイドキー２０４の半押しによるＡＦ制御
(2) サイドキー２０４の全押し又はシャッターキー２０６の押下による画像取込み制御
(3) ＡＦ中の合焦途上でサイドキー２０４が全押し状態に移行した際の画像取込み制御（強制シャッター制御）
(4) その他の制御
等を含んでいる。
【０１０２】
カメラ４を起動すると、レンズ２６を初期位置に移動させる（ステップＳ３１）。この初期位置とは例えば、原点位置である。初期位置に移動させた状態でキー押下の待機状態となり（ステップＳ３２）、サイドキー２０４が半押し状態か全押し状態かが判定される（ステップＳ３３）。サイドキー２０４が半押し状態の場合にはＡＦモードが実行され、焦点位置が無限遠位置になるようにレンズ２６を移動させる（ステップＳ３４）。ここで、レンズ位置カウンタ＝１、最大合焦値＝０とし（ステップＳ３５）、この状態でＣＣＤ２８から画像信号を取り込み（ステップＳ３６）、ＡＦ合焦値の測定を行い、その合焦値をＲＡＭ２０に格納し（ステップＳ３７）、その合焦値が最大合焦値より小さいか否かを判定する（ステップＳ３８）。
【０１０３】
最大合焦値＞合焦値でない場合には最大値レンズ位置＝レンズ位置カウンタ、最大合焦値＝合焦値に変更した後（ステップＳ３９）、最終レンズ位置か否かを判定し（ステップＳ４０）、最終レンズ位置でない場合には強制シャッター処理（合焦途上でのシャッター処理）か否かを判定する（ステップＳ４１）。この強制シャッター処理は、既述したように、ＡＦ中にサイドキー２０４を半押し状態から全押し状態に移行させて、画像を取り込む処理である。強制シャッター処理でない場合には、ＡＦ合焦前のファインダー画像作成処理を実行し（ステップＳ４２）、その作成に基づき、ファインダー画像を表示させる（ステップＳ４３）。ステップＳ３８において、最大合焦値＞合焦値である場合にはステップＳ３９の処理を飛ばしてステップＳ４０に移行し、ステップＳ４１〜Ｓ４３の処理を行う。
【０１０４】
このファインダー画像の表示の後、次のレンズ位置へレンズ２６を移動させ（ステップＳ４４）、レンズ位置カウンタの計数値をインクリメントし（ステップＳ４５）、ステップＳ３６に戻る。ステップＳ３６〜ステップＳ４５を繰り返すことによりＡＦ処理が実行される。
【０１０５】
そして、ステップＳ４０において、最終レンズ位置に到達している場合には、最終レンズ位置の合焦値が最大合焦値であるか否かを判定し（ステップＳ４６、図１８）、その合焦値が最大でない場合には最大値レンズ位置の示すレンズ位置へレンズ２６を移動させ（ステップＳ４７）、その状態でＣＣＤ２８からファインダー画像を取り込み（ステップＳ４８）、ＡＦ合焦マーク８６をファインダー画像に重ね合わせ（ステップＳ４９）、そのファインダー画像とともにＡＦ合焦マーク８６を表示させる（ステップＳ５０）。この場合、ステップＳ４６において、最終レンズ位置の合焦値が最大である場合には、ステップＳ４７〜ステップＳ４８を飛ばしてステップＳ４９及びステップＳ５０の処理を実行する。
【０１０６】
このファインダー画像の表示状態で、サイドキー２０４が離されたか否かが判定され（ステップＳ５１）、次にサイドキー２０４が全押し状態か否かが判定され（ステップＳ５２）、全押し状態でない場合にはステップＳ４８に戻り、サイドキー２０４が全押し状態の場合には、ＣＣＤ２８から撮影画像を取り込み（ステップＳ５３）、その撮影画像を保存するため、圧縮処理が実行され（ステップＳ５４）、撮影を完了する。また、ステップＳ５１でサイドキー２０４が離された場合にはステップＳ３１に戻り、ステップＳ３１〜ステップＳ５１の全処理が再度行われる。
【０１０７】
そして、ステップＳ３３において、キー押下待ちの状態からサイドキー２０４が全押し状態となった場合にはステップＳ５３に飛び、ＣＣＤ２８から撮影画像の取り込みが行われる。
【０１０８】
また、ステップＳ４１において、強制シャッター処理、即ち、ＡＦ中にサイドキー２０４を半押し状態から全押し状態に移行させた場合には、ステップＳ４２の処理を行うことなく、ファインダー画像を表示し（ステップＳ５５）、ステップＳ５３に移行し、ＣＣＤ２８から撮影画像の取り込みが行われ、撮影画像の圧縮処理が実行され（ステップＳ５４）、撮影を完了することになる。
【０１０９】
斯かる構成とすれば、強制シャッター処理では、ＡＦ完了後の画像の取込みを断念し、ＡＦ処理中の合焦前の捕捉画像を取り込むので、シャッターチャンスを逃すことなく、撮影シーンや撮影状況に応じた迅速な撮影が可能となる。そして、ＡＦ合焦前のファインダー画像の作成（ステップＳ４２）は、図１６に示した処理と同様である。
（第３の実施形態）
次に、本発明の電子装置、その撮影制御方法及び撮影制御プログラムの第３の実施形態について、図１９及び図２０を参照して説明する。図１９及び図２０は、ＡＦ中の強制シャッター処理の切換えによるＡＦ中の画像の取込み制御について示している。図中、Ｇ、Ｈ、Ｉ、Ｊは結合子である。
【０１１０】
この実施形態は、撮影制御部６の撮影制御として、
(1) サイドキー２０４の半押しによるＡＦ制御
(2) サイドキー２０４の全押し又はシャッターキー２０６の押下による画像取込み制御
(3) ＡＦ中の合焦途上でサイドキー２０４が全押し状態に移行した際の画像取込み制御（強制シャッター制御）
(4) 強制シャッター制御を実行する強制シャッターモードの選択制御
(5) その他の制御
等を含んでいる。
【０１１１】
この実施形態では、上記(4) の選択制御の契機を得るため、一例として、カメラキー２０２及びシャッターモード選択キー２２０に選択機能を割り当て、カメラキー２０２の押下で撮影モードに移行するとともに、同時に、強制シャッターモード１が設定され、シャッターモード選択キー２２０の押下で強制シャッターモード２が設定されている。この場合、強制シャッターモード１は、ＡＦ制御中の合焦前の画像の取込みを許可するモードであり、強制シャッターモード２は、ＰＦ制御による無限遠の固定焦点の画像を取り込むモードである。そして、この強制シャッターモード２から強制シャッターモード１への復帰は、シャッターモード選択キー２２０の再押下又はカメラキー２０２の押下で実行すればよい。
【０１１２】
そこで、カメラ４を起動すると、強制シャッターモード１が設定され（ステップＳ６１）、レンズ２６を初期位置に移動させる（ステップＳ６２）。この状態でキーの押下待ち状態が維持され（ステップＳ６３）、キーの押下により、サイドキー２０４の半押し状態か、サイドキー２０４の全押し状態か（又はシャッターキー２０６の押下か）、又は強制モードへの切換えの何れかが判定される（ステップＳ６４）。強制モード切換えは、既述の通り、撮影モードへの移行の後、シャッターモード選択キー２２０の操作により強制シャッターモード１、２への移行処理である。
【０１１３】
この判別の結果、サイドキー２０４の半押し状態の場合には、ＡＦモードが実行され、焦点位置が無限遠位置になるようにレンズ２６を移動させる（ステップＳ６５）。ここで、レンズ位置カウンタ＝１、最大合焦値＝０とし（ステップＳ６６）、この状態でＣＣＤ２８から画像信号を取り込み（ステップＳ６７）、ＡＦ合焦値の測定を行い、その合焦値をＲＡＭ２０に格納し（ステップＳ６８）、その合焦値が最大合焦値より小さいか否かを判定する（ステップＳ６９）。
【０１１４】
最大合焦値＞合焦値でない場合には最大値レンズ位置＝レンズ位置カウンタ、最大合焦値＝合焦値に変更した後（ステップＳ７０）、最終レンズ位置か否かを判定し（ステップＳ７１）、最終レンズ位置でない場合には強制シャッター処理（合焦前のシャッター処理）か否かを判定する（ステップＳ７２）。この強制シャッター処理は、既述したように、ＡＦ中にサイドキー２０４を半押し状態から全押し状態に移行させて、画像を取り込む処理である。強制シャッター処理でない場合には、ＡＦ合焦前のファインダー画像作成処理を実行し（ステップＳ７３）、その作成に基づき、ファインダー画像を表示させる（ステップＳ７４）。
【０１１５】
このファインダー画像の表示の後、次のレンズ位置へレンズ２６を移動させ（ステップＳ７５）、レンズ位置カウンタの計数値をインクリメントし（ステップＳ７６）、ステップＳ６７に戻る。ステップＳ６７〜ステップＳ７６を繰り返すことによりＡＦ処理が実行される。この場合、ステップＳ６９において、最大合焦値＞合焦値である場合にはステップＳ７０の処理を飛ばしてステップＳ７１に移行させる。
【０１１６】
ステップＳ７１において、最終レンズ位置に到達している場合には、最終レンズ位置の合焦値が最大合焦値であるか否かを判定し（ステップＳ７７）、その合焦値が最大でない場合には最大値レンズ位置の示すレンズ位置へレンズ２６を移動させ（ステップＳ７８）、その状態でＣＣＤ２８からファインダー画像を取り込み（ステップＳ７９）、ＡＦ合焦マーク８６をファインダー画像に重ね合わせ（ステップＳ８０）、そのファインダー画像とともにＡＦ合焦マーク８６を表示させる（ステップＳ８１）。この場合、ステップＳ７７において、最終レンズ位置の合焦値が最大である場合には、ステップＳ７８〜ステップＳ７９を飛ばしてステップＳ８０及びステップＳ８１の処理を実行する。
【０１１７】
そして、このファインダー画像の表示状態で、サイドキー２０４が離されたか否かが判定され（ステップＳ８２）、次にサイドキー２０４が全押し状態か否かが判定され（ステップＳ８３）、全押し状態でない場合にはステップＳ７９に戻り、サイドキー２０４が全押し状態の場合には、ＣＣＤ２８から撮影画像を取り込み（ステップＳ８４）、その撮影画像を保存するため、圧縮処理が実行され（ステップＳ８５）、撮影を完了する。また、ステップＳ８２でサイドキー２０４が離された場合にはステップＳ６２に戻り、ステップＳ６２〜ステップＳ８５の全処理が再度実行されることになる。
【０１１８】
また、ステップＳ７２において、強制シャッター処理の場合には、強制シャッターモード１か否か（即ち、強制シャッターモード１、２の何れかの判定）を判定し（ステップＳ８６）、強制シャッターモード２の場合には、レンズ２６をＰＦ位置又は予め設定した位置に移動させ（ステップＳ８７）、その状態でＣＣＤ２８からファインダー画像を取り込み（ステップＳ８８）、そのファインダー画像を表示し（ステップＳ８９）、ステップＳ８４に移行し（図２０）、ＣＣＤ２８から撮影画像を取り込み、撮影画像の圧縮処理が実行されて（ステップＳ８５）、撮影を完了する。
【０１１９】
また、ステップＳ６４において、サイドキー２０４の全押しである場合には、ステップＳ８４に移行してＣＣＤ２８から撮影画像を取り込み、その画像を保存するため、圧縮処理が実行され（ステップＳ８５）、撮影を完了することになる。
【０１２０】
そして、ステップＳ６４において、強制モード切換えと判定した場合には、強制シャッターモード１であるか否かを判定し（ステップＳ９０）、操作されているシャッターモード選択キー２２０の押下又はカメラキー２０２の押下に基づき、強制シャッターモード１である場合には強制シャッターモード２に切り換えられ（ステップＳ９１）、強制シャッターモード１でない場合には強制シャッターモード１に切り換えられ（ステップＳ９２）、ステップＳ６３に戻る。
【０１２１】
また、この実施形態においても、ステップＳ７３におけるＡＦ合焦前のファインダー画像の作成処理は、既述の図１６のフローチャートで示す処理によって実行される。
（第４の実施形態）
次に、本発明の電子装置、その撮影制御方法及び撮影制御プログラムの第４の実施形態について、図２１を参照して説明する。図２１は、撮影モードへの移行と同時にＡＦ処理を実行する場合の画像取込み制御について示している。
【０１２２】
この実施形態では、撮影制御として
(1) 撮影制御部６の撮影制御として、カメラキー２０２を押下すると、これに応動してＡＦモードに移行する合焦処理
(2) サイドキー２０４の全押しにより合焦画像の取込み処理
(3) ＡＦ中の合焦途上でサイドキー２０４の全押しにより、ＰＦ画像の取込み処理
等を含んでいる。
【０１２３】
カメラ４を起動すると、自動的にＡＦ制御に移行させ、レンズ２６を無限遠位置に移動させ（ステップＳ１１１）、このレンズ２６を通してＣＣＤ２８から画像信号を取り込み（ステップＳ１１２）、この取込み画像からＡＦ合焦値の測定を行う（ステップＳ１１３）。この測定に基づき、レンズ２６の位置が最終レンズ位置か否かを判定し（ステップＳ１１４）、最終レンズ位置でない場合には、この状態でサイドキー２０４が押下されたか否かを判定し（ステップＳ１１５）、サイドキー２０４が全押し状態でない場合には、ＡＦ処理を続行させてＡＦ合焦前のファインダー画面にＡＦマーク８４を重ね合わせて表示し（ステップＳ１１６）、ＣＣＤ２８に捕捉されてＬＣＤ１６に表示されている画像（ファインダー画像）を撮影制御部６に取り込み（ステップＳ１１７）、次のレンズ位置へレンズ２６を移動させる（ステップＳ１１８）。この場合、レンズ位置は例えば、図６に示すように、無限大Ｄmax から位置Ｄ1 〜Ｄ4 に移動させる。
【０１２４】
ステップＳ１１４において、最終レンズ位置に到達している場合には、その最終レンズ位置の合焦値が最大であるか否かを判定し（ステップＳ１１９）、その合焦値が最大でない場合にはその合焦値が最大となるようにレンズ２６を移動させ（ステップＳ１２０）、移動後のレンズ２６によってＣＣＤ２８に結像される画像をＣＣＤ２８から取り込み（ステップＳ１２１）、そのファインダー画像にＡＦ合焦マーク８６を重ね合わせて表示し（ステップＳ１２２）、ＡＦ合焦マーク８６によって合焦が告知されるとともに、ＣＣＤ２８に捕捉されてＬＣＤ１６に表示されている画像（ファインダー画像）を撮影制御部６のＡＦ処理部６８に取り込み（ステップＳ１２３）、撮影を完了する。この場合、ステップＳ１１９において、最終レンズ位置の合焦値が最大である場合には、ステップＳ１２０、Ｓ１２１を飛ばし、ステップＳ１２２に移行して同様の処理を行い、撮影を完了する。
【０１２５】
また、ステップＳ１１５において、サイドキー２０４が全押し状態であると判定された場合には、ＰＦ位置又は予め設定した位置にレンズ２６を強制移動させ（ステップＳ１２４）、ステップＳ１２１に移行し、ステップＳ１２１以下の処理を実行し、撮影を完了する。
【０１２６】
次に、他の実施形態について説明する。
【０１２７】
(1) ＡＦマーク８４について、図１１及び図１３に示す実施形態では、カメラ４と被写体の焦点距離や焦点深さに応じてＡＦマーク８４のサイズを変更する構成であるが、例えば、図２２に示すように、ＡＦマーク８４の外郭部９０のサイズを一定にし、内郭部９２のサイズを変更することにより、ＡＦマーク８４の枠部８５の幅Ｗ1 、Ｗ2 、Ｗ3 （Ｗ1 ＜Ｗ2 ＜Ｗ3 ）のように、距離によって連続的又は段階的に変更するようにしてもよい。この場合、図２２のＡは近距離撮影、図２２のＢは中距離撮影、図２２のＣは遠距離撮影を表している。そして、この場合、枠部８５は、画像の妨げにならないように、有色透明表示とし、表示画像を透かして認識可能にする。このようなＡＦマーク８４を画像上に重ねて表示すれば、その表示内容で合焦している被写体の確認が容易になる。また、撮影範囲や画面サイズの変更や選択にＡＦマーク８４を利用することもできる。
【０１２８】
(2) ＡＦマーク８４について、合焦中は枠部８５をカラー表示とし、その着色を合焦前後で変更するようにしてもよい。合焦中は例えば、白色表示とし、合焦後は例えば、緑色表示とすれば、カラー変化で合焦前後を容易に認識できる。
【０１２９】
(3) 実施形態では、電子装置として携帯端末２を例示したが、本発明は、ディジタルカメラ、ＰＤＡ（Personal Digital Assistant）、携帯パソコン等の各種の電子装置やその撮影制御に適用できるものであり、実施形態の携帯端末２に限定されるものではない。
【０１３０】
(4) 図１４〜図２１に示す撮影制御では、ＡＦ中の合焦完了前にサイドキー２０４が全押し状態に移行された場合に強制シャッター処理を実行しているが、このシャッター処理への移行処理について、フォーカス機構３２の合焦に要する時間ｔｆと、サイドキー２０４の半押しによる合焦開始から全押し状態への移行、即ち、シャッター操作の開始までの時間ｔｓとの比較をＡＦ処理部６８で実行し、この比較結果により、レンズ２６をＡＦ位置からＰＦ位置に変更する処理を実行するように構成してもよい。時間ｔｆは、カメラモジュール５２によって決定される既知の情報であるから、時間ｔｓはサイドキー２０４の半押し開始から全押しまでの時間を計測すればよい。
【０１３１】
次に、以上述べた本発明の電子装置、撮影制御方法、撮影制御プログラム及び集積回路の各実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１３２】
（付記１）  光学系を通して得られる画像を捕捉する撮像部とともに、前記光学系を自動焦点位置又は固定焦点位置に移動させるフォーカス機構を備える電子装置であって、
前記フォーカス機構に合焦を指示するフォーカススイッチとして機能するとともに、前記撮像部の捕捉画像の取込みを指示するシャッタースイッチとして機能し、操作により合焦又は捕捉画像の取込みを指示するスイッチと、
このスイッチによる前記フォーカス機構の合焦中に前記スイッチのシャッター操作が行われた場合には、前記光学系を前記自動焦点位置から前記固定焦点位置に切り換え、固定焦点画像を取り込む制御部と、
を備えたことを特徴とする電子装置。
【０１３３】
（付記２）  前記制御部は、前記フォーカス機構の合焦に要する時間と、合焦開始から前記シャッター操作の開始までの時間とを比較し、この比較結果により前記光学系を前記自動焦点位置又は前記固定焦点位置に変更する構成としたことを特徴とする付記１記載の電子装置。
斯かる構成とすれば、フォーカス機構の合焦に要する時間の経過を待つことなく、シャッター処理に即応した迅速な画像取込みが行える。この場合、固定焦点は、無限遠の焦点距離による設定だけでなく、フォーカス途上の特定の焦点位置であってもよい。
【０１３４】
（付記３）  光学系を通して得られる画像を捕捉する撮像部とともに、前記光学系を自動焦点位置又は固定焦点位置に移動させるフォーカス機構を備える電子装置であって、
前記フォーカス機構に合焦を指示するフォーカススイッチとして機能するとともに、前記撮像部の捕捉画像の取込みを指示するシャッタースイッチとして機能し、操作形態により合焦又は捕捉画像の取込みを指示するスイッチと、
このスイッチによる前記フォーカス機構の合焦中に前記スイッチのシャッター操作が行われた場合には、前記撮像部に捕捉されている合焦途中の焦点位置の画像を取り込む制御部と、
を備えたことを特徴とする電子装置。
【０１３５】
（付記４）  前記スイッチを第１のスイッチとして備えるとともに、この第１のスイッチとは別個に設置されて固定焦点による撮影に用いられるスイッチを第２のスイッチとして備えることを特徴とする付記１又は３記載の電子装置。
【０１３６】
（付記５）  前記スイッチは、半押し状態で前記フォーカススイッチ、全押し状態で前記シャッタースイッチとして機能する構成としたことを特徴とする付記１又は３記載の電子装置。
【０１３７】
（付記６）  前記撮像部を備える第１の筐体部と、
前記スイッチを備える第２の筐体部と、
この第２の筐体部と前記第１の筐体部とを折畳み可能に連結する連結部と、
を備える構成としたことを特徴とする付記１又は３記載の電子装置。
【０１３８】
（付記７）  光学系を通して得られる画像を捕捉する撮像部とともに、前記光学系を自動焦点位置又は固定焦点位置に移動させるフォーカス機構を備える電子装置の撮影制御方法であって、
前記フォーカス機構の合焦中のシャッター操作を検出する処理と、
前記シャッター操作を検出し、合焦中の前記光学系の前記自動焦点位置から前記固定焦点位置に切り換える処理と、
前記固定焦点で捕捉される固定焦点画像を取り込む処理と、
を含むことを特徴とする電子装置の撮影制御方法。
【０１３９】
（付記８）  前記撮像部に捕捉される前記合焦中の画像に被写体と光学系との距離を表すフォーカスマークを重ねて表示する処理を含むことを特徴とする付記７記載の電子装置の撮影制御方法。
【０１４０】
（付記９）  光学系を通して得られる画像を捕捉する撮像部とともに、前記光学系を自動焦点位置又は固定焦点位置に移動させるフォーカス機構を備える電子装置の撮影制御プログラムであって、
前記フォーカス機構の合焦中のシャッター操作を検出するステップと、
前記シャッター操作を検出し、合焦中の前記光学系の前記自動焦点位置から前記固定焦点位置に切り換えるステップと、
前記固定焦点で捕捉される固定焦点画像を取り込むステップと、
を含むことを特徴とする電子装置の撮影制御プログラム。
【０１４１】
（付記１０）  光学系を通して得られる画像を捕捉する撮像部と、前記光学系を自動焦点位置又は固定焦点位置に移動させるフォーカス機構とが外付けされる集積回路であって、
前記フォーカス機構の合焦中のシャッター操作を検出する検出部と、
この検出部の検出に基づき、合焦中の前記光学系の前記自動焦点位置から前記固定焦点位置に切り換え、前記固定焦点で捕捉される固定焦点画像を取り込む制御部と、
を含むことを特徴とする集積回路。
【０１４２】
（付記１１）  光学系を通して得られる画像を捕捉する撮像部とともに、前記光学系を自動焦点位置又は固定焦点位置に移動させるフォーカス機構を備える電子装置の撮影制御方法であって、前記フォーカス機構の合焦中のシャッター操作を検出する処理と、
前記シャッター操作を検出し、合焦中に前記撮像部に捕捉されている自動焦点画像を取り込む処理と、
を含むことを特徴とする電子装置の撮影制御方法。
【０１４３】
（付記１２）  光学系を通して得られる画像を捕捉する撮像部とともに、前記光学系を自動焦点位置又は固定焦点位置に移動させるフォーカス機構を備える電子装置の撮影制御プログラムであって、
前記フォーカス機構の合焦中のシャッター操作を検出するステップと、
前記シャッター操作を検出し、合焦中に前記撮像部に捕捉されている自動焦点画像を取り込むステップと、
を含むことを特徴とする電子装置の撮影制御プログラム。
【０１４４】
（付記１３）  光学系を通して得られる画像を捕捉する撮像部と、前記光学系を自動焦点位置又は固定焦点位置に移動させるフォーカス機構とが外付けされる集積回路であって、
前記フォーカス機構の合焦中のシャッター操作を検出する検出部と、
この検出部の前記シャッター操作の検出に基づき、合焦中の自動焦点画像を取り込む制御部と、
とを含むことを特徴とする集積回路。
【０１４５】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１４６】
本発明は、ＡＦ機能又はＰＦ機能による撮影機能を備える電子装置に関し、撮影シーンや撮影状況に即応する画像取込み機能を向上させて高機能化を実現しており、携帯端末やディジタルカメラ等に活用でき、有用である。
【図面の簡単な説明】
【０１４７】
【図１】本発明の第１の実施形態の電子装置を示すブロック図である。
【図２】電子装置の前面側の外観形態を示す平面図である。
【図３】電子装置の背面側の外観形態を示す平面図である。
【図４】電子装置に搭載されたＡＦ機構を示すブロック図である。
【図５】位置検出部の実施形態を示す斜視図である。
【図６】レンズの制御機構の概要を示す図である。
【図７】静止画撮影モードのタイミングを示す図である。
【図８】ズーム撮影モードのタイミングを示す図である。
【図９】ステッピングモータの制御信号を示す図である。
【図１０】通常モードのファインダー画面を示す図である。
【図１１】ＡＦ中のファインダー画面を示す図である。
【図１２】合焦時のファインダー画面を示す図である。
【図１３】ＡＦ中の他のファインダー画面を示す図である。
【図１４】撮影制御を示すフローチャートである。
【図１５】撮影制御を示すフローチャートである。
【図１６】ＡＦ合焦前のファインダー画像制御を示すフローチャートである。
【図１７】本発明の第２の実施形態の撮影制御を示すフローチャートである。
【図１８】本発明の第２の実施形態の撮影制御を示すフローチャートである。
【図１９】本発明の第３の実施形態の撮影制御を示すフローチャートである。
【図２０】本発明の第３の実施形態の撮影制御を示すフローチャートである。
【図２１】本発明の第４の実施形態の撮影制御を示すフローチャートである。
【図２２】他の実施形態に係るＡＦマークを示す図である。
【符号の説明】
【０１４８】
２  携帯端末（電子装置）
４  カメラ（電子装置）
６  撮影制御部（集積回路、制御部）
２０  ＲＡＭ（記憶部）
２４  入力操作部
２６  レンズ（光学系）
２８  ＣＣＤ（撮像部）
３２  フォーカス機構
４６  操作側筐体部（第１の筐体部）
４８  表示側筐体部（第２の筐体部）
５０  ヒンジ部（連結部）
６８  ＡＦ処理部（検出部）
２０４  サイドキー（第１のスイッチ、フォーカススイッチ、シャッタースイッチ）
２０６  シャッターキー（第２のスイッチ）
【図１】
0004607448.tif 000004
【図２】
0004607448.tif 000005
【図３】
0004607448.tif 000006
【図４】
0004607448.tif 000007
【図５】
0004607448.tif 000008
【図６】
0004607448.tif 000009
【図７】
0004607448.tif 000010
【図８】
0004607448.tif 000011
【図９】
0004607448.tif 000012
【図１０】
0004607448.tif 000013
【図１１】
0004607448.tif 000014
【図１２】
0004607448.tif 000015
【図１３】
0004607448.tif 000016
【図１４】
0004607448.tif 000017
【図１５】
0004607448.tif 000018
【図１６】
0004607448.tif 000019
【図１７】
0004607448.tif 000020
【図１８】
0004607448.tif 000021
【図１９】
0004607448.tif 000022
【図２０】
0004607448.tif 000023
【図２１】
0004607448.tif 000024
【図２２】
0004607448.tif 000025